(57)【特許請求の範囲】
【請求項１】
階下の床面上又は階段の一段目の段板面上に起立されて通路を塞ぐフェンスであって、
このフェンスが、前記床面の上方にある段板の下方から、又は、前記階段の一段目の段板の上方にある段板の下方から当該階段の階段下空間内に出し入れ可能に収納されており、
しかも、当該階段下空間から引き出して前記床面上又は段板面上に当該フェンスを起立させた際に、当該フェンスを起立状態に保持する保持手段を備えていることを特徴とする階段フェンス。
【請求項２】
起立状態にして用いられる前記フェンスが、当該フェンスの下部側の回動軸線でガイド手段に起伏可能に組み付けてあると共に該フェンスを倒した状態で前記階段における段板の下方から当該階段の階段下空間内に出し入れ可能に納め入れ得るようにしてあることを特徴とする請求項１に記載の階段フェンス。
【請求項３】
起立状態にして用いられる前記フェンスが、上端に手摺を備えており、当該フェンスを段板の下方から当該階段の階段下空間内に納め入れた際に、当該手摺が該フェンスの出し入れ用開口を塞いで蹴込み板の一部をなすようにしてあることを特徴とする請求項１又は請求項２に記載の階段フェンス。
【請求項４】
階上の床面から一段下又は二段下の階段の段板面上に起立されて通路を塞ぐフェンスであって、
このフェンスが、前記段板の上方にある上框の下方から、又は、前記一段下の段板の下方から床下空間内に出し入れ可能に収納されており、
しかも、当該床下空間から引き出して前記段板面上に当該フェンスを起立させた際に、当該フェンスを起立状態に保持する保持手段を備えていることを特徴とする階段フェンス。
【請求項５】
起立状態にして用いられる前記フェンスが、当該フェンスの下部側の回動軸線でガイド手段に起伏可能に組み付けてあると共に該フェンスを倒した状態で前記上框又は段板の下方から床下空間内に出し入れ可能に納め入れ得るようにしてあることを特徴とする請求項４に記載の階段フェンス。
【請求項６】
起立状態にして用いられる前記フェンスが、上端に手摺を備えており、当該フェンスを上框又は段板の下方から床下空間内に納め入れた際に、当該手摺が該フェンスの出し入れ用開口を塞いで蹴込み板の一部をなすようにしてあることを特徴とする請求項４又は請求項５に記載の階段フェンス。
【発明の詳細な説明】
【技術分野】
【０００１】
この発明は、階段の構成する通路を塞ぐことによって当該階段通路への出入りを遮断するように用いることのできるフェンスを、必要時に、容易に取り出し用い得ると共に、不使用時に、簡易に収納し得るようにした階段フェンスの提供に関する。
【背景技術】
【０００２】
幼児童、認知症者、ペット等が同居する居住環境において、当該幼児童等が、介護者の眼に届かない状態で階段を上ったり、あるいは、階段を下りたりすることがないように階段の下側や階段の上側に別段にフェンス等を備え付け設置して通常は閉鎖状態にしておき、必要に応じて開いて階段の上り下りをなすようにしていた。
【０００３】
しかしながら、このような手法にあっては、既設の階段に個別にフェンスを備え付けたり、あるいは、別段に販売されているフェンス類を用いて個別に各階段の特長に合わせて設置する必要があり、設置処理が煩雑であると共に、幼児童等が階段通路に立ち入るのを確実に防ぐように構成するには相当の設備コストを要する不具合があった。
【０００４】
かかる点から、階上にあって階段に連続する床に沿って腰壁等を有する場合、この腰壁等を用いて当該腰壁等の内部に引戸建具を収納用意し、この腰壁等から引き出して階段上を塞ぐようにして転落を防止するようにしたものがあった（例えば、特許文献１）。
【０００５】
【特許文献１】特開平１１−５０７５２号公報
【発明の開示】
【発明が解決しようとする課題】
【０００６】
しかしながら、このように階上にあって階段上を塞ぐ引戸建具を都合良く収納し得る腰壁等の構造体を有しない構造の住宅にあっては、かかる引戸建具を都合良く備え付け難い場合があった。
【０００７】
また、一階における階段の上り口を随時塞ぐように当該引戸建具を壁内に収納状態に設置用意することは難しく、この階段下からの階段通路への立ち入りを防ぐ手段を講ずる必要があった。
【０００８】
この発明は、かかる点に着眼して、階段の上側にあっても、また、下側にあっても、随時、取り出し使用し、かつ、収納し得るフェンスを、確実に、しかも、容易に備え付け得るようにした階段フェンスの提供をなそうとするものである。
【課題を解決するための手段】
【０００９】
前記課題を解決するために第１の発明は、階下の床面上又は階段の一段目の段板面上に起立されて通路を塞ぐフェンスであって、
このフェンスが、前記床面の上方にある段板の下方から、又は、前記階段の一段目の段板の上方にある段板の下方から当該階段の階段下空間内に出し入れ可能に収納されており、
しかも、当該階段下空間から引き出して前記床面上又は段板面上に当該フェンスを起立させた際に、当該フェンスを起立状態に保持する保持手段を備えていることを特徴とする階段フェンスとしてある。
【００１０】
このように構成される階段フェンスにあっては、階段下空間を用いることによって、この階段が構成する通路を階段の下側において塞ぐフェンスを当該階段下空間から随時必要に応じて引き出し、これを起立させて当該階段下からの階段への立ち入りを防ぎ、また、フェンスの設置が不要な際には、このフェンスを倒し込んで階段下空間内に押し入れて保管することができる。
【００１１】
ついで、前記構成に係る階段フェンスにおいて、起立状態にして用いられる前記フェンスが、当該フェンスの下部側の回動軸線でガイド手段に起伏可能に組み付けてあると共に該フェンスを倒した状態で前記階段における段板の下方から当該階段の階段下空間内に出し入れ可能に納め入れ得るようにした階段フェンスでは、階段下空間から確実かつ円滑にフェンスの出し入れができ、しかも、このガイド手段に下部側を枢支させた状態で当該フェンスを起立状態に確実に保持することができる。
【００１２】
更に、前記構成に係る階段フェンスにあって、起立状態にして用いられる前記フェンスが、上端に手摺を備えており、当該フェンスを段板の下方から当該階段の階段下空間内に納め入れた際に、当該手摺が該フェンスの出し入れ用開口を塞いで蹴込み板の一部をなすようにしてある階段フェンスでは、当該フェンスを階段下空間に収納した際に、階段の蹴込み面が通例の階段と同様の意匠面を備えたものとして構成することができる。
【００１３】
また、前記課題を解決するために第２の発明は、階上の床面から一段下又は二段下の階段の段板面上に起立されて通路を塞ぐフェンスであって、
このフェンスが、前記段板の上方にある上框の下方から、又は、前記一段下の段板の下方から床下空間内に出し入れ可能に収納されており、
しかも、当該床下空間から引き出して前記段板面上に当該フェンスを起立させた際に、当該フェンスを起立状態に保持する保持手段を備えていることを特徴とする階段フェンスとしてある。
【００１４】
このように構成される階段フェンスにあっては、階上の床下空間を有効に用いることによって、この階段が構成する通路を階段の上部側において塞ぐフェンスを当該床下空間から随時必要に応じて引き出し、これを起立させて階上の床面からの階段への立ち入りを防ぎ、また、フェンスの設置が不要な際には、このフェンスを倒し込んで階上の床下空間内に押し入れ保管することができる。
【００１５】
また、前記構成に係る階段フェンスにあって、起立状態にして用いられる前記フェンスが、当該フェンスの下部側の回動軸線でガイド手段に起伏可能に組み付けてあると共に該フェンスを倒した状態で前記階上の上框又は段板の下方から当該床下空間内に出し入れ可能に納め入れ得るようにした階段フェンスでは、床下空間から確実かつ円滑にフェンスの出し入れができ、しかも、このガイド手段に下部側を枢支させた状態で確実に当該フェンスを起立状態に保持することができる。
【００１６】
更に、前記構成に係る階段フェンスにおいて、起立状態にして用いられる前記フェンスが、上端に手摺を備えており、当該フェンスを上框又は段板の下方から階上の床下空間内に納め入れた際に、当該手摺が該フェンスの出し入れ用開口を塞いで蹴込み板の一部をなすようにした階段フェンスでは、当該フェンスを床下空間に収納した際に、階段の意匠面を通例の階段と同様に構成することができる。
【発明の効果】
【００１７】
この発明に係る階段フェンスは、蹴込み板の備えられる階段空間を活用して、階段の下側にあっては、この蹴込み板の備えられる段板下から階段下空間にフェンスを出し入れ可能に収納し、階段の上側にあっては、上階の上框又は段板の下方から上階の床下空間にフェンスを出し入れ可能に収納し、この収納フェンスを必要に応じて取り出し、かつ、起立させて、階段通路に対する立ち入りを効果的に阻止し得る階段フェンスを効率良く構成できる利点を有している。
【発明を実施するための最良の形態】
【００１８】
以下、図１〜図１５にもとづいて、この発明を実施するための最良の形態に係る階段フェンスＡについて説明する。
【００１９】
ここで図１〜図８は当該第１の発明を実施するための最良の形態に係る典型的な階段フェンスＡを示しており、図１では、当該フェンスＡを階段１０の下側に設置した状態を斜め上方から見て、図２では、これを正面から見て、図３〜図５では、当該フェンスＡの収納状態と起立使用状態と、その出し入れ状態とを断面して側方から見て示している。図６では、当該フェンスＡの回動可能な組み付け部材の各要部の部品を分離して斜め上方から見て示しており、図７及び図８では、当該フェンスＡの保持手段Ｂによる保持状態を、図７では上方から見て、図８では断面して前方から見て示している。
【００２０】
また図９〜図１５は当該第２の発明を実施するための最良の形態に係る典型的な階段フェンスＡを示しており、図９では、当該フェンスＡを階段１０の上部に設置した状態を正面から見て、図１０では、当該フェンスＡの起立使用状態を断面して側方から見て示している。図１１及び図１２では、当該フェンスＡの使用状態の要部を示しており、図１１では、踏み込みプレート２６を跳ね上げている状態を、図１２では、当該踏み込みプレート２６を階上１０ｂの床面４０ａに連続するようにセットした状態を、それぞれ斜め上方から見て示している。図１３では、回動可能な組み付け部材の各要部の部品を分離して斜め上方から見て示している。図１４及び図１５では、当該フェンスＡの保持手段Ｂによる保持状態を、図１４では上方から見て、図１５では断面して前方から見て示している。
【００２１】
まず、第１の発明を実施するための最良の形態に係る階段フェンスＡは、階下１０ａの床４０の床面４０ａ上又は一段目の段板１１の段板面上に起立されて階段１０の構成する通路１０ｃを塞ぐフェンスＡであって、
このフェンスＡが、前記床面４０ａ上又は段板１１面上にある段板１１の下方から階段１０の階段下空間Ｃ内に出し入れ可能に収納されており、
しかも、当該階段下空間Ｃから引き出して前記床面４０ａ上又は段板１１面上に当該フェンスＡを起立させた際に、当該フェンスＡを起立状態に保持する保持手段Ｂを備える構成としてある。
【００２２】
なお、ここで階段フェンスＡの備えられる階段１０は、いかなる形態の階段であってもよく、例えば、直階段、かね折階段、折返し階段、回り階段等、いかなる形態の階段に対しても当該階段フェンスＡを備え付けることができる。
【００２３】
また、この階段１０に備えられるフェンスＡは、当該階段１０に対して幼児童、認知症者、ペット等が上るのを阻止し得るように前記床面４０ａ上又は前記段板１１面上に備えられて通路１０ｃを塞ぐ構成としたものであれば、いかなる素材によって構成してあっても、また、いかなる、通路に構成してあっても、さらには、いかなる形態に構成してあってもよい。
【００２４】
典型的には、床面４０ａ上に、段板１１に接するように起立されて階段通路１０ｃを塞いだり、段板１１面上に次の段板１１に接するように起立されて階段通路１０ｃを塞ぐように設置される。かかるフェンスＡは、幼児童等が乗り越え得ない所定高さを備え、かつ、幼児童等がすり抜け得ない態様のものとして構成してあり、例えば、パネル、ボード等による目隠し状態のフェンスＡとしてあっても、また、縦桟、横桟あるいは縦桟と横桟との組合せよりなる柵状材あるいは各種の網状材等による眼透かし状態のフェンスＡとしてあってもよい。
【００２５】
また、このフェンスＡを起立状態に保持する保持手段Ｂは、前記床面４０ａ上又は段板１１面上に起立されるフェンスＡを当該起立状態に維持して、階下１０ａの床面４０ａから幼児童等が当該階段１０を上がり得ないように、その起立状態を保持する手段であれば、いかなる保持手段Ｂであってもよく、例えば、当該フェンスＡを壁等に直接留め付けるようにしてあっても、また、当該フェンスＡが倒れないように当該フェンスＡ自体に備えられる転倒防止手段で起立状態を保持するように構成する等、いかなる形態に備えられていても良い。また、フェンスＡを壁等に直接留め付ける場合にあっても、当該留め付け手段をフェンスＡ側に設けるようにしてあっても、また、建物側に設けるようにしてあっても、さらには、両者に設けた各留め具相互の留め付け合いによって、このフェンスＡを起立状態に保持する等、各種形態で、当該フェンスＡを起立状態に保持するようにしてある。
【００２６】
また、階段下空間Ｃに対するフェンスＡの出し入れ可能な収納は、いかなる形態において収納されていても良く、また、いかなる手段で出し入れされるようにしてあっても良い。例えば、当該フェンスＡを一体的なものとして構成し、このフェンスＡをその下端側から階段下空間Ｃ内に押し入れ、かつ、引き出すようにしてあっても、また、このフェンスＡを折り畳み得るように構成して、当該フェンスＡを折り畳み状態で階段下空間Ｃに押し入れ、かつ、引き出すようにしてあってもよい。また、かかるフェンスＡの押し入れ、かつ、引き出す手段として適宜のガイド手段３０を当該フェンスＡ、建物側、又は両者に設け、このガイド手段３０を用いて当該フェンスＡを階段下空間Ｃ内に押し入れ、かつ、引きだし用いるようにしてあってもよい。
【００２７】
このように構成される階段フェンスＡにあっては、階段下空間Ｃを用いることによって、この階段１０が構成する通路１０ｃを階段１０の下側において塞ぐフェンスＡを当該階段下空間Ｃから随時必要に応じて引き出し、これを起立させて当該階段１０下からの階段１０への立ち入りを防ぎ、また、フェンスＡの設置が不要な際には、このフェンスＡを倒し込んで階段下空間Ｃ内に押し入れて保管することができる。
【００２８】
ついで、前記構成に係る階段フェンスＡにおいて、起立状態にして用いられる前記フェンスＡが、当該フェンスＡの下部側の回動軸線でガイド手段３０に起伏可能に組み付けてあると共に該フェンスＡを倒した状態で前記階段１０における段板１１の下方から当該階段１０の階段下空間Ｃ内に出し入れ可能に納め入れ得るようにした階段フェンスＡでは、階段下空間Ｃから確実かつ円滑にフェンスＡの出し入れができ、しかも、このガイド手段３０に下部側を枢支させた状態で当該フェンスＡを起立状態に確実に保持することができる。
【００２９】
かかるフェンスＡの起伏可能に組み付けられるガイド手段３０は、いかなる形態のガイド手段であってもよく、このフェンスＡが、例えば、ガイドレールに摺動自在に組み付けられているスライダーに回動可能に組み付けてあっても、また、このフェンスＡの下部側をガイドレールに直接摺動自在、かつ、回動可能に組み付ける等、いかなる形態のガイド手段で、当該フェンスＡを起伏可能としてあってもよい。
【００３０】
更に、前記構成に係る階段フェンスＡにあって、起立状態にして用いられる前記フェンスＡが、上端に手摺２２’を備えており、当該フェンスＡを段板１１の下方から当該階段１０の階段下空間Ｃ内に納め入れた際に、当該手摺２２’が該フェンスＡの出し入れ用開口１２ｂを塞いで蹴込み板１２の一部をなすようにしてある階段フェンスＡでは、当該フェンスＡを階段下空間Ｃに収納した際に、階段１０の蹴込み面が通例の階段と同様の意匠面を備えたものとして構成することができる。
【００３１】
ついで、第２の発明を実施するための最良の形態に係る階段フェンスＡは、階上１０ｂの床４０の床面４０ａから一段下又は二段下の段板１１面上に起立されて階段１０の構成する通路１０ｃを塞ぐフェンスＡであって、
このフェンスＡが、前記段板１１面上にある上框４２又は段板１１の下方から床下空間Ｄ内に出し入れ可能に収納されており、
しかも、この床下空間Ｄから引き出して前記段板１１面上に当該フェンスＡを起立させた際に、当該フェンスＡを起立状態に保持する保持手段Ｂを備えた構成としてある。
【００３２】
なお、ここで階段フェンスＡの備えられる階段１０は、いかなる形態の階段であってもよく、例えば、直階段、かね折階段、折返し階段、回り階段等、いかなる形態の階段に対しても当該階段フェンスＡを備え付けることができる。
【００３３】
また、この階段１０に備えられるフェンスＡは、当該階段１０より幼児童、認知症者、ペット等が下りるのを阻止し得るように前記段板１１面上に備えられて階段通路１０ｃを塞ぐ構成としたものであれば、いかなる素材によって構成してあっても、また、いかなる形態に構成してあってもよい。
【００３４】
典型的には、段板１１面上に上階１０ｂ’の上框４２に接するように起立されて階段通路１０ｃを塞いだり、段板１１面上に上の段板１１に接するように起立されて階段通路１０ｃを塞ぐように設置される。かかるフェンスＡは、幼児童等が乗り越え得ない所定高さを備え、かつ、幼児童等がすり抜け得ない態様のものとして構成してあり、例えば、パネル、ボード等による目隠し状態のフェンスＡとしてあっても、また、縦桟、横桟あるいは縦桟と横桟との組合せよりなる柵状材あるいは各種の網状材等による眼透かし状態のフェンスＡとしてあってもよい。
【００３５】
また、このフェンスＡを起立状態に保持する保持手段Ｂは、前記段板１１面上に起立されるフェンスＡを当該起立状態に維持して、上階１０ｂ’の床面４０ａから幼児童等が当該階段１０を下り得ないように、その起立状態を保持する手段であれば、いかなる保持手段Ｂであってもよく、例えば、当該フェンスＡを壁等に直接留め付けるようにしてあっても、また、当該フェンスＡが倒れないように当該フェンスＡ自体に備えられる転倒防止手段で起立状態を保持するように構成する等、いかなる形態に備えられていても良い。また、フェンスＡを壁等に直接留め付ける場合にあっても、当該留め付け手段をフェンスＡ側に設けるようにしてあっても、また、建物側に設けるようにしてあっても、さらには、両者に設けた各留め具相互の留め付け合いによって、このフェンスＡを起立状態に保持する等、各種形態で、当該フェンスＡを起立状態に保持するようにしてある。
【００３６】
また、床下空間Ｄに対するフェンスＡの出し入れ可能な収納は、いかなる形態において収納されていても良く、また、いかなる手段で出し入れされるようにしてあっても良い。例えば、当該フェンスＡを一体的なものとして構成し、このフェンスＡをその下端側から床下空間Ｄ内に押し入れ、かつ、引き出すようにしてあっても、また、このフェンスＡを折り畳み得るように構成して、当該フェンスＡを折り畳み状態で床下空間Ｄに押し入れ、かつ、引き出すようにしてあってもよい。また、かかるフェンスＡの押し入れ、かつ、引き出す手段として適宜のガイド手段３０を当該フェンスＡ、建物側、又は両者に設け、このガイド手段３０を用いて当該フェンスＡを床下空間Ｄ内に押し入れ、かつ、引きだし用いるようにしてあってもよい。
【００３７】
このように構成される階段フェンスＡにあっては、階上１０ｂの床下空間Ｄを有効に用いることによって、この階段１０が構成する通路１０ｃを階段１０の上部側において塞ぐフェンスＡを当該床下空間Ｄから随時必要に応じて引き出し、これを起立させて階上１０ｂの床面４０ａからの階段１０への立ち入りを防ぎ、また、フェンスＡの設置が不要な際には、このフェンスＡを倒し込んで階上１０ｂの床下空間Ｄ内に押し入れ保管することができる。
【００３８】
また、前記構成に係る階段フェンスＡにあって、起立状態にして用いられる前記フェンスＡが、当該フェンスＡの下部側の回動軸線でガイド手段３０に起伏可能に組み付けてあると共に該フェンスＡを倒した状態で前記階上１０ｂの上框４２又は段板１１の下方から当該床下空間Ｄ内に出し入れ可能に納め入れ得るようにした階段フェンスＡでは、床下空間Ｄから確実かつ円滑にフェンスＡの出し入れができ、しかも、このガイド手段３０に下部側を枢支させた状態で確実に当該フェンスＡを起立状態に保持することができる。
【００３９】
かかるフェンスＡの起伏可能に組み付けられるガイド手段３０は、いかなる形態のガイド手段であってもよく、このフェンスＡが、例えば、ガイドレールに摺動自在に組み付けられているスライダーに回動可能に組み付けてあっても、また、このフェンスＡの下部側をガイドレールに直接摺動自在、かつ、回動可能に組み付ける等、いかなる形態のガイド手段で、当該フェンスＡを起伏可能としてあってもよい。
【００４０】
更に、前記構成に係る階段フェンスＡにおいて、起立状態にして用いられる前記フェンスＡが、上端に手摺２２’を備えており、当該フェンスＡを上框４２又は段板１１の下方から階上１０ｂの床下空間Ｄ内に納め入れた際に、当該手摺２２’が該フェンスＡの出し入れ用開口１２ｂを塞いで蹴込み板１２の一部をなすようにした階段フェンスＡでは、当該フェンスＡを床下空間Ｄに収納した際に、階段１０の意匠面を通例の階段と同様に構成することができる。
【００４１】
まず、図１〜図８に示される階段フェンスＡについて具体的に説明する。
【００４２】
この図示例に係る階段フェンスＡは、階下１０ａの床面４０ａ上又は一段目の段板１１面上に通路１０ｃを塞ぐように起立させることによって、幼児童、認知症者、ペット等が階段１０へ上がるのを確実に防ぐようにしたものであって、このフェンスＡが、当該フェンスＡの下部側の回動軸線でガイド手段３０に起伏可能に組み付けてあると共に、前記起立状態に当該フェンスＡを保持する保持手段Ｂを備えた構成としてあり、このフェンスＡを倒した状態で前記階段１０における段板１１の下方から当該階段１０の階段下空間Ｃ内に出し入れ可能に納め入れ得るように構成してある。
【００４３】
特に、この図示例では、階下１０ａの床面４０ａ上に当該フェンスＡを起立状態にセットし得る形態の階段フェンスＡが示してある。この図示例に係るフェンスＡは、ガイド手段３０に対して起伏可能に組み付けてある。このガイド手段３０は、ガイドレール３１と、このガイドレール３１に案内されるスライダー３２とを備えた構成としてある。そして、この図示例では、このスライダー３２に当該フェンスＡの下部側が起伏可能に組み付けてあり、この組み付け位置にあるフェンスＡの回動軸線で回動可能としてある。
【００４４】
かかるガイド手段３０を構成するガイドレール３１は、段板１１の支持される支持部材としての側桁１３、この図示例にあっては、一段目の段板１１と階下１０ａの床４０との間に備えられる蹴込み板１２ａの内側、より具体的には、蹴込み板１２ａの仮想の背面のなす面、すなわち、蹴込み板１２ａの下方にあって床面４０ａとの間に構成される開口１２ｂのなす面に先端開口３１ｂを位置づけるようにして、当該段板１１の両側にある各側桁１３に沿って階段下空間Ｃに延びるように床板４１の面に平行に備えられており、この対をなして備えられる各ガイドレール３１が当該ガイドレール３１内に摺動自在に備えられるスライダー３２にフェンスＡを連結する軸部材３３の案内されるガイド溝３１ａを互いに向きあわせるように備えた構成としてある。
【００４５】
かかるガイドレール３１は、更に具体的には、アルミ形材等で構成された矩形断面の角筒の一側面の長手側にわたって当該ガイドレール３１の内外を連通する態様にガイド溝３１ａを、当該面のやや上部側に偏らせて備えた構成としてあり、このガイド溝３１ａを向き合わせるようにして床板４１に連続して、しかも、この床板４１の後端面４１ａに当該ガイドレール３１の先端開口３１ｂ面の下部側を接しさせて、該床板４１によって先端開口３１ｂの下部側を塞ぐように設けてあり、例えば、床板４１の張り込まれる根太４３に対して床板４１に連続して該ガイドレール３１を、前記蹴込み板１２の仮想の背面位置にある側桁１３部分から階段下空間Ｃに向けて、段板１１の両側端の下方、すなわち、段板１１の組み付けられる各側桁１３に沿うように、平行に設けてあり、この階段下空間Ｃに平行に配置される一対のガイドレール３１によってフェンスＡを当該階段下空間Ｃに対して出し入れ可能に収納し得る構成としてある。
【００４６】
かかるガイドレール３１に摺動自在に組み付けられて当該ガイドレール３１と共にガイド手段３０を構成するスライダー３２は、このガイドレール３１内にがた無く嵌め込まれた横長の板状体としてあり、下部に前後方向に間隔を離して当該ガイドレール３１の内側底面に接して転動されるボール３２ｅを受ける半球状凹部を備え、しかも、先端側部分を、下部側が欠切状態とされて縦幅の狭くされた突き出し部３２ｂとして構成してあり、この突き出し部３２ｂ端にフェンスＡを軸部材３３によって回動可能に連結するようにしてある。
【００４７】
かかるスライダー３２は、より具体的には、前記矩形断面の角筒内に転動用のボール３２ｅを下部に備えて密に嵌め入れられて、このスライダー３２に組み付けられるフェンスＡが安定に案内される摺接長さを備えたスライダー本体部３２ａと、このスライダー本体部３２ａの前部側部分であって、長手側の下端縁部分を欠切状態にカットして上下方向に幅狭となるようにスライダー本体部３２ａから一連に突設された突き出し部３２ｂとを備えており、この突き出し部３２ｂとスライダー本体部３２ａとの間にある段差面３２ｃが、前記ガイドレール３１の前端開口３１ｂの突き当てられる床板４１の端面に当接される位置まで、ガイドレール３１から前方に向けて当該スライダー３２の突き出し部３２ｂが突き出し得る構成としてある。
【００４８】
かかるガイド手段３０におけるスライダー３２に案内されて段板１１の下方から階段下空間Ｃに出し入れされるフェンスＡは、下枠材２１と、手摺２２’を兼ねる上枠材２２と、この下枠材２１と上枠材２２とを両側において連結する左右一対の支柱２３とで同一の仮想の面内に位置づけられる矩形の枠体２０をなすように構成してあり、この支柱２３間に所定の間隔毎に上枠材２２と下枠材２１とにわたるように遮蔽手段としての桟材２４が設けてあり、幼児童、認知症者、ペット等が通り抜けできないフェンスＡを構成しうるようにしてある。
【００４９】
この図示例に係るフェンスＡにあっては、当該フェンスＡを起立した際に、矩形の枠体２０における下枠材２１の両側にある支柱２３の下端から前記スライダー３２の突き出し部３２ｂに沿うように当該支柱２３にほぼ直交してＬ字状をなすように前方に突き出す軸受け部２５を備えており、当該フェンスＡの起立状態において、当該軸受け部２５の先端側に前記下枠材２１に平行で、かつ、ほぼ水平の軸孔２５ａを設けてあり、この軸孔２５ａと前記スライダー３２の突き出し部３２ｂの先端側に備えられている軸孔３２ｄとに、当該突き出し部３２ｂと軸受け部２５とを所定間隔に離すスリーブ３３ｂを介在させて頭付軸３３ａを挿通し、この頭付軸３３ａの挿通先端をカシメることによって、フェンスＡを前記スリーブ３３ｂでスライダー３２に所定間隔離した状態で当該頭付軸３３ａの軸線を回動軸線として起伏可能に組み付けてある。
【００５０】
このように、各支柱２３、下枠材２１、上枠材２２を備える枠体２０のなす仮想の面から当該フェンスＡの軸受け部２５が、当該面に直交する向きに突き出し状態に設けてあり、しかも、フェンスＡを起立した状態で、このフェンスＡよりも前方、この図示例にあっては、床面４０ａ側に突き出した位置で当該フェンスＡを回動可能にガイド手段３０のスライダー３２における突き出し部３２ｂの先端側に枢支してあり、起立状態にあるフェンスＡは、当該軸を回動中心にして前方に、すなわち、下枠材２１を一旦上方に向けて浮きあげるようにして倒し込まれ、この軸受け部２５の突き出し寸法に相当する高さ位置に、スライダー３２の軸支位置より上方に位置づけられてほぼ水平向きとされ、この状態で、階段下空間Ｃに対して押し込むことができる。
【００５１】
このように階段下空間Ｃに押し込まれるフェンスＡは、図３に示されるように、階段下空間Ｃに対する押し込み位置で、手摺２２’を構成する板状をなす上枠材２２が段板１１の下方の蹴込み板１２にある開口１２ｂを都合良く塞ぎ、この上枠材２２の板部の下部が、図３の状態で前記ガイドレール３１に当接して開口１２ｂを塞ぐように停止され際に、開口１２ｂの上部側に備えられている蹴込み板１２ａと共に一連に連続する蹴込み板１２を構成するようにしてあり、しかも、このガイドレール３１の前端に対する上枠材２２の当接によってフェンスＡが必要以上に階段下空間Ｃに押し込まれるのを防ぐようにしてある。
【００５２】
また、かかる状態においてフェンスＡは、この床面４０ａに側端面を接する上枠材２２と前記突き出し寸法を有する軸受け部２５とによって、ガイドレール３１の上方位置にほぼ水平の収納状態に維持される。なお、かかるフェンスＡの倒し込み状態において板状をなす手摺２２’として用いられる上枠材２２における下部側に引き手用の欠切部２２ａを設け、この欠切部２２ａに指をかけて当該フェンスＡの引きだし、押し入れをなし得るようにしてある。
【００５３】
なお、前記構成に係るフェンスＡにあって、軸受け部２５の先端側に備えられる軸孔２５ａを巡るように当該軸受け部２５の先端側を当該軸孔２５ａと同心の弧状面として構成することによって、フェンスＡを起立させた状態で、この軸受け部２５と下枠材２１のそれぞれの下面を床面４０ａに密に接触させた状態とし、しかも、この軸受け部２５の弧状面を床面４０ａに向けて回動させてフェンスＡを倒し込んだ際に、フェンスＡを床面４０ａや階段下空間Ｃにおける床面４０ａ等から所定間隔浮き上がらせた状態、この図示例では、当該軸受け部２５と支柱２３より幅方向に突き出すように構成されている上枠材２２との各突き出し寸法に相当する寸法分上方にあって、引きだしや、押し込み操作をなすことができるように構成してある。
【００５４】
かかる段板１１の下方から階段下空間Ｃに格納されているフェンスＡを、当該フェンスＡにおける上枠材２２における前記欠切部２２ａに指をかけて前方に引き出すことによって、当該フェンスＡにおける各支柱２３の下端側にある軸受け部２５の軸３３ａを支点に当該フェンスＡの上枠材２２側が適宜持ち上げられた状態でガイドレール３１に案内されてスライダー３２を摺動しながら前方に引き出すことができ、このフェンスＡがガイドレール３１の先端まで引き出された後、当該フェンスＡの組み付けられているスライダー３２における突き出し部３２ｂが当該ガイドレール３１から更に前方に向けて、この図示例にあっては前記軸３３ａを回動軸線として起立されるフェンスＡにおける支柱２３が床面４０ａ上にある段板１１の先端面に都合良く接する位置迄引きだし、この引きだし位置で、当該スライダー３２における突き出し部３２ｂの後部側にある段差面３２ｃが床板４１の後端面４１ａに当接して、スライダー３２の摺動を阻止し、この状態でフェンスＡを回動起立させることによって、当該フェンスＡが段板１１の先端面に支柱２３の背面を接し、かつ、下枠材２１と軸受け部２５の下面を床面４０ａに平行に接するようにして、安定に起立状態に維持される。
【００５５】
また、このように起立されるフェンスＡによって通路１０ｃは塞がれ、幼児童、認知症者、ペット等が階段１０に上れない状態を作り出すことができる。
【００５６】
このように起立されたフェンスＡは適宜の保持手段Ｂによって、当該起立状態を維持し得るようにしてある。この図示例にあっては、かかる保持手段Ｂの典型的な事例として、当該起立状態にあるフェンスＡを壁４６に備えられる受け部に対して直接保持させるようにしてあり、ストッパー５０とストッパー受け６０とで、当該フェンスＡを起立状態に保持するようにしてある。
【００５７】
かかる保持手段Ｂとしてのストッパー５０は、手摺２２’即ち、蹴込み板として機能される上枠材２２の板面の両側部分に埋込状態に設けられている各扁平箱状体５１と、この箱状体５１にそれぞれ摺動可能に備えられた厚板状のラッチ５３とを備えており、上枠材２２の側端から当該ラッチ５３が出没し得るように箱状体５１は上枠材２２の側端側が開口５１ｂされた筒状に構成してある。かかる箱状体５１に摺動可能に組み込まれたラッチ５３は、この箱状体５１の上面の長手向き、すなわち、上枠材２２における長手側に長い長溝５１ａを上面に備えており、この溝５１ａから当該ラッチ５３の操作摘み５３ａを突き出し状態に備えている。また、ラッチ５３を突き出し状態にストッパー受け６０として構成されているラッチ受け６０’に差し入れた際に、当該突き出し状態を維持する手段として、前記箱状体５１の上面に留めバネ５２を備え、この留めバネ５２の屈曲係止部５２ａを箱状体５１の操作穴５１ｃからラッチ５３の上面に接するように設けてある。かかる留めバネ５２は、ラッチ５３の引き込み位置では、留めバネ５２の屈曲係止部５２ａが当該留めバネ５２の弾性によって箱状体５１に設けられている操作穴５１ｃからラッチ５３の上面に弾性的に接して当該ラッチ５３の移動を弾性的に抑制しており、このラッチ５３を突き出してラッチ受け６０’に差し入れた際に、このラッチ５３の上面に凹設されている係止凹部５３ｂに弾性的に押し入れられ、ラッチ５３の移動を封ずるようにしてある。従って、一旦ラッチ受け６０’に差し入れ状態とされて当該留めバネ５２を係止凹部５３ｂに係止した状態のラッチ５３は、この留めバネ５２を指で当該留めバネ５２の弾性に抗して上方に引き上げて、この係止凹部５３ｂに対する留めバネ５２の係止を解かない限り、引き込み方向に移動されることがなく、フェンスＡの保持が予期せずに解かれる不具合がない。
【００５８】
また、かかるラッチ５３を受けるラッチ受け６０’は、起立されるフェンスＡの上枠材２２の両側方の壁４６部分にあって、このラッチ５３の突き出されるフェンスＡの側方の壁面における当該ラッチ５３を受け入れ得る位置に凹部６２を備えた盤状本体部６１を壁４６に木ねじ等で組み付けた構成としてあり、この図示例では、この盤状本体部６１にラッチ５３を受ける水平の、かつ、横長の凹部６２を備えるラッチ受け６０’として構成してある。
【００５９】
なお、この図示例に係る階段フェンスＡは、土台４４上にある根太４３に床板４１を張り込み下階１０ａ’の床４０を構成し、この階段１０の備え付けられる各壁４６部に側桁１３を備えて、この側桁１３に各段板１１を支持させてあり、この各段板１１間の空間を蹴込み板１２によって塞いだ構成としてあって、階段下空間Ｃにある前記各側桁１３の面に沿って階段下空間Ｃ内に延びるように、当該階段下空間Ｃの床部分にある根太４３上にほぼ水平をなすようにガイドレール３１を設けてあり、この対をなすガイドレール３１を互いのガイド溝３１ａを向き合わせるようにして当該ガイドレール３１における先端開口３１ｂの下部側が前記床板４１の後部側端面に当接するように備え付けてある。
【００６０】
また、この図示例にあっては、階段１０における蹴込み面の意匠を整える意図からフェンスＡを構成する上枠材２２が、このフェンスＡの備えられる段板１１の下方にある蹴込み板１２ａと床面４０ａとの間に構成されている開口１２ｂの開口幅内に都合良く納まる幅の板状材によって構成してあり、また、このフェンスＡを階段下空間Ｃに押し入れた際に、当該フェンスＡが階段下空間Ｃ内に納め入れ得るガイド手段３０を備えており、しかも、上枠材２２が前記開口１２ｂを都合良く塞ぐ位置に停止し得るように、この上枠材２２が前記ガイドレール３１の前端に当接し得る構成としてある。
【００６１】
ついで、図９〜図１５に示される階段フェンスＡについて具体的に説明する。
【００６２】
この図９〜図１５に示される第２の発明を実施するための最良の形態に係る階段フェンスＡは、階上１０ｂの床４０の床面４０ａから一段下又は二段下の段板１１面上に起立されて階段１０の構成する通路１０ｃを塞ぐフェンスＡであって、このフェンスＡが、前記段板１１面上にある上框４２又は段板１１の下方から床下空間Ｄ内に出し入れ可能に収納されており、しかも、この床下空間Ｄから引き出して前記段板１１面上に当該フェンスＡを起立させた際に、当該フェンスＡを起立状態に保持する保持手段Ｂを備えた構成としてある。
【００６３】
特に、この図示例では、受け梁４５の都合から、敢えて、階上１０ｂにおける床１０から二段下にある段板１１の面上に当該フェンスＡを起立状態にセットし得る形態の階段フェンスＡが示してある。この図示例に係るフェンスＡは、ガイド手段３０に対して起伏可能に組み付けてある。このガイド手段３０は、ガイドレール３１と、このガイドレール３１に案内されるスライダー３２とを備えた構成としてある。そして、この図示例では、このスライダー３２に当該フェンスＡの下部側が起伏可能に組み付けてあり、この組み付け位置にあるフェンスＡの回動軸線で回動可能としてある。
【００６４】
かかるガイド手段３０を構成するガイドレール３１は、段板１１の支持される支持部材としての側桁１３、この図示例にあっては、階上１０ｂの床面４０ａから一段目の段板１１と二段目の段板１１との間に備えられる蹴込み板１２ａの内側、より具体的には、蹴込み板１２ａの仮想の背面のなす面、即ち、蹴込み板１２ａの下方にあって、床面４０ａとの間に構成されている開口１２ｂのなす面に先端開口３１ｂを位置づけるようにして、当該段板１１の両側にある各側桁１３に沿って床下空間Ｄに延びるように二段目の段板１１の面に平行に備えられており、この対をなして備えられる各ガイドレール３１が当該ガイドレール３１内に摺動自在に備えられるスライダー３２にフェンスＡを連結する軸部材３３の案内されるガイド溝３１ａを互いに向きあわせるように備えた構成としてある。
【００６５】
かかるガイドレール３１は、更に具体的には、アルミ形材等で構成された矩形断面の角筒の一側面の長手側にわたって当該ガイドレール３１の内外を連通する態様にガイド溝３１ａを、当該面のやや上部側に偏らせて備えた構成としてあり、このガイド溝３１ａを向き合わせるようにして二段目の段板１１に連続して、しかも、この段板１１の後端面に当該ガイドレール３１の先端開口３１ｂの下部側を塞ぐ当接板部３１ｃを向き合わせるようにして設けてあり、例えば、床下空間Ｄを構成する根太４３に対して段板１１に連続して該ガイドレール３１を、前記蹴込み板１２ａの仮想の背面位置にある側桁１３部分から床下空間Ｄに向けて、段板１１の両側端の下方、すなわち、段板１１の組み付けられる各側桁１３に沿うように、平行に設けてあり、この床下空間Ｄに平行に配置される一対のガイドレール３１によってフェンスＡを当該床下空間Ｄに対して出し入れ可能に収納し得る構成としてある。
【００６６】
かかるガイドレール３１に摺動自在に組み付けられて当該ガイドレール３１と共にガイド手段３０を構成するスライダー３２は、このガイドレール３１内にがた無く嵌め込まれた横長の板状体としてあり、下部に前後方向に間隔を離して当該ガイドレール３１の内側底面に接して転動されるボール３２ｅを受ける半球状凹部を備え、しかも、先端側部分を、下部側が欠切状態とされて縦幅の狭くされた突き出し部３２ｂとして構成してあり、この突き出し部３２ｂ端にフェンスＡを軸部材３３によって回動可能に連結するようにしてある。
【００６７】
かかるスライダー３２は、より具体的には、前記矩形断面の角筒内に転動用のボール３２ｅを下部に備えて密に嵌め入れられて、このスライダー３２に組み付けられるフェンスＡが安定に案内される摺接長さを備えたスライダー本体部３２ａと、このスライダー本体部３２ａの前部側部分であって、長手側の下端縁部分を欠切状態にカットして上下方向に幅狭となるようにスライダー本体部３２ａから一連に突設された突き出し部３２ｂとを備えており、この突き出し部３２ｂとスライダー本体部３２ａとの間にある段差面３２ｃが、前記ガイドレール３１の前端開口３１ｂに備えられている当接板部３１ｃに当接される位置まで、ガイドレール３１から前方に向けて当該スライダー３２の突き出し部３２ｂが突き出し得る構成としてある。
【００６８】
かかるガイド手段３０におけるスライダー３２に案内されて段板１１の下方から床下空間Ｄに出し入れされるフェンスＡは、下枠材２１と、手摺２２’を兼ねる上枠材２２と、この下枠材２１と上枠材２２とを両側において連結する左右一対の支柱２３とで同一の仮想の面内に位置づけられる矩形の枠体２０をなすように構成してあり、この支柱２３間に所定の間隔毎に上枠材２２と下枠材２１とにわたるように遮蔽手段としての桟材２４が設けてあり、幼児童、認知症者、ペット等が通り抜けできないフェンスＡを構成しうるようにしてある。
【００６９】
この図示例に係るフェンスＡにあっては、当該フェンスＡを起立した際に、矩形の枠体２０における下枠材２１の両側にある支柱２３の下端から前記スライダー３２の突き出し部３２ｂに沿うように当該支柱２３にほぼ直交してＬ字状をなすように前方に突き出す軸受け部２５を備えており、当該フェンスＡの起立状態において、当該軸受け部２５の先端側に前記下枠材２１に平行で、かつ、ほぼ水平の軸孔２５ａを設けてあり、この軸孔２５ａと前記スライダー３２の突き出し部３２ｂの先端側に備えられている軸孔３２ｄとに、当該突き出し部３２ｂと軸受け部２５とを所定間隔に離すスリーブ３３ｂを介在させて頭付軸３３ａを挿通し、この頭付軸３３ａの挿通先端をカシメることによって、フェンスＡを前記スリーブ３３ｂでスライダー３２に所定間隔離した状態で当該頭付軸３３ａの軸線を回動軸線として起伏可能に組み付けてある。
【００７０】
このように、各支柱２３、下枠材２１、上枠材２２を備える枠体２０のなす仮想の面から当該フェンスＡの軸受け部２５が、当該面に直交する向きに突き出し状態に設けてあり、しかも、フェンスＡを起立した状態で、このフェンスＡよりも前方、この図示例にあっては、階上１０ｂの床面４０ａから二段目の段板１１の面側に突き出した位置で当該フェンスＡを回動可能にガイド手段３０のスライダー３２における突き出し部３２ｂの先端側に枢支してあり、起立状態にあるフェンスＡは、当該軸を回動中心にして前方に、すなわち、下枠材２１を一旦上方に向けて浮きあげるようにして倒し込まれ、この軸受け部２５の突き出し寸法に相当する高さ位置に、スライダー３２の軸支位置より上方に位置づけられてほぼ水平向きとされ、この状態で、床下空間Ｄに対して押し込むことができる。
【００７１】
このように床下空間Ｃに押し込まれるフェンスＡは、図１０の仮想線に示されるように、床下空間Ｃに対する押し込み位置で、手摺２２’を構成する板状をなす上枠材２２が段板１１の下方の蹴込み板１２ａにある開口１２ｂを都合良く塞ぎ、この上枠材２２の板部の下部が、この仮想線の状態で前記ガイドレール３１に当接して開口１２ｂを塞ぐように停止された際に、開口１２ｂの上部側に備えられている蹴込み板１２ａと共に一連に連続する蹴込み板１２を構成するようにしてあり、しかも、このガイドレール３１の前端に対する上枠材２２の当接によってフェンスＡが必要以上に床下空間Ｃに押し込まれるのを防ぐようにしてある。
【００７２】
また、かかる状態においてフェンスＡは、この段板１１の面に側端面を接する上枠材２２と前記突き出し寸法を有する軸受け部２５とによって、ガイドレール３１の上方位置にほぼ水平の収納状態に維持される。なお、かかるフェンスＡの倒し込み状態において板状をなす手摺２２’として用いられる上枠材２２における下部側に引き手用の欠切部２２ａを設け、この欠切部２２ａに指をかけて当該フェンスＡの引きだし、押し入れをなし得るようにしてある。
【００７３】
なお、前記構成に係るフェンスＡにあって、軸受け部２５の先端側に備えられる軸孔２５ａを巡るように当該軸受け部２５の先端側を当該軸孔２５ａと同心の弧状面として構成することによって、フェンスＡを起立させた状態で、この軸受け部２５と下枠材２１のそれぞれの下面を段板１１の面に密に接触させた状態とし、しかも、この軸受け部２５の弧状面を段板１１の面に向けて回動させてフェンスＡを倒し込んだ際に、フェンスＡを段板１１の面や床下空間Ｃに根太４３等から所定間隔浮き上がらせた状態、この図示例では、当該軸受け部２５と支柱２３より幅方向に突き出すように構成してある上枠材２２の各突き出し寸法に相当する寸法分上方にあって、引きだしや、押し込み操作をなすことができるように構成してある。
【００７４】
かかる階上１０ｂの床４０の一段下にある段板１１の下方から床下空間Ｃに格納されているフェンスＡを、当該フェンスＡにおける上枠材２２における前記欠切部２２ａに指をかけて前方に引き出すことによって、当該フェンスＡにおける各支柱２３の下端側にある軸受け部２５の軸３３ａを支点に当該フェンスＡの上枠材２２側が適宜持ち上げられた状態でガイドレール３１に案内されてスライダー３２を摺動しながら前方に引き出すことができ、このフェンスＡがガイドレール３１の先端まで引き出された後、当該フェンスＡの組み付けられているスライダー３２における突き出し部３２ｂが当該ガイドレール３１から更に前方に向けて、この図示例にあっては前記軸３３ａを回動軸線として起立されるフェンスＡにおける支柱２３が二段目の段板１１の上にある一段目の段板１１の先端面に都合良く接する位置迄引きだし、この引きだし位置で、当該スライダー３２における突き出し部３２ｂの後部側にある段差面３２ｃが当接板部３１ｃに当接して、スライダー３２の摺動を阻止し、この状態でフェンスＡを回動起立させることによって、当該フェンスＡが一段下にある段板１１の先端面に支柱２３の背面を接し、かつ、下枠材２１と軸受け部２５の下面を二段目の段板１１の面に平行に接するようにして、安定に起立状態に維持される。
【００７５】
かかる階段１０の上部側に備えられるフェンスＡは、階上１０ｂから二段下の段板１１の面に起立セットされるフェンスＡと、当該階上１０ｂにおける床４０との間に階段１０の一段相当の段状凹部を生ずることから、この階上１０ｂから一段下にある段板１１の上方に階上１１ｂの床４０の床面４０ａに同面をなすように踏み込みプレート２６を設けるようにしてある。
【００７６】
かかる踏み込みプレート２６は、前記起立状態にあるフェンスＡにおける各支柱２３と当該支柱２３に隣り合う桟材２４との間及び各桟材２４、２４間のそれぞれに、軸２６ａで回動可能に設けてあり、この図示例にあっては、各踏み込みプレート２６を起立した状態で、その下端側を軸２６ａによってフェンスＡに回動可能に組み付けてあり、しかも、その先端側（自由端側、すなわち、この起立状態では上端側）を階上１０ｂの側で板状をなす連結材２６ｂによって一体に連結した構成としてある。また、このフェンスＡに回動可能に備えられている踏み込みプレート２６は、これを階上１０ｂの上框４２に向けて倒し込んだ際に、この上框４２に先端が近接する長さを備えた構成としてあり、しかも、この上框４２に向けて倒し込まれる踏み込みプレート２６が、ほぼ水平状態に維持されるように前記フェンスＡにおける階段１０の上側、すなわち、前記連結材の備えられている側のフェンスＡの各支柱２３及び各桟材２４とにわたるように角棒状をなすストッパー材２７を水平状態に当該フェンスＡに一体に設けてある。
【００７７】
このように備えられる踏み込みプレート２６は、フェンスＡを倒し込んだ際には、当該フェンスＡに対して軸２６ａと連結材２６ｂとで、当該フェンスＡのなす仮想の面内に位置づけられた状態で移動され、このフェンスＡを図１１のように起立した際に、はじめて、当該状態から上框４１に向けて回動され、階上１０ｂの床４０の床面４０ａと同面をなすように前記ストッパー材２７で支承される位置まで回動され、この水平状態に当該ストッパー材２７及び軸２６ａで維持され、階上１０ｂの床面４０ａから出入りし得る構成とされる。（図１０及び図１２参照）
【００７８】
また、かかる踏み込みプレート２６は、これを階段１０の下側に向けて倒し込んだ際に、当該フェンスＡのなす仮想の面内に位置づけられるように回動され、フェンスＡの床下空間Ｄに対する格納の妨げとなることはない。
【００７９】
このように段板１１の面に起立されるフェンスＡによって通路１０ｃは塞がれ、幼児童、認知症者、ペット等が階段１０に上れない状態を作り出すことができる。
【００８０】
このように起立されたフェンスＡは適宜の保持手段Ｂによって、当該起立状態を維持し得るようにしてある。この図示例にあっては、かかる保持手段Ｂの典型的な事例として、当該起立状態にあるフェンスＡを壁４６に備えられる受け部に対して直接保持させるようにしてあり、ストッパー５０とストッパー受け６０とで、当該フェンスＡを起立状態に保持するようにしてある。
【００８１】
かかる保持手段Ｂとしてのストッパー５０は、手摺２２’及び蹴込み板として機能される上枠材２２の板面の両側部分に埋込状態に設けられている各扁平箱状体５１と、この箱状体５１にそれぞれ摺動可能に備えられた厚板状のラッチ５３とを備えており、上枠材２２の側端から当該ラッチ５３が出没し得るように箱状体５１は上枠材２２の側端側が開口５１ｂされた筒状に構成してある。かかる箱状体５１に摺動可能に組み込まれたラッチ５３は、この箱状体５１の上面の長手向き、すなわち、上枠材２２における長手側に長い長溝５１ａを上面に備えており、この溝５１ａから当該ラッチ５３の操作摘み５３ａを突き出し状態に備えている。また、ラッチ５３を突き出し状態にストッパー受け６０として構成されているラッチ受け６０’に差し入れた際に、当該突き出し状態を維持する手段として、前記箱状体５１の上面に留めバネ５２を備え、この留めバネ５２の屈曲係止部５２ａを箱状体５１の操作穴５１ｃからラッチ５３の上面に接するように設けてある。かかる留めバネ５２は、ラッチ５３の引き込み位置では、留めバネ５２の屈曲係止部５２ａが当該留めバネ５２の弾性によって箱状体５１に設けられている操作穴５１ｃからラッチ５３の上面に弾性的に接して当該ラッチ５３の移動を弾性的に抑制しており、このラッチ５３を突き出してラッチ受け６０’に差し入れた際に、このラッチ５３の上面に凹設されている係止凹部５３ｂに弾性的に押し入れられ、ラッチ５３の移動を封ずるようにしてある。従って、一旦ラッチ受け６０’に差し入れ状態とされて当該留めバネ５２を係止凹部５３ｂに係止した状態のラッチ５３は、この留めバネ５２を指で当該留めバネ５２の弾性に抗して上方に引き上げて、この係止凹部５３ｂに対する留めバネ５２の係止を解かない限り、引き込み方向に移動されることがなく、フェンスＡの保持が予期せずに解かれる不具合がない。
【００８２】
また、かかるラッチ５３を受けるラッチ受け６０’は、起立されるフェンスＡの上枠材２２の両側方の壁４６部分にあって、このラッチ５３の突き出されるフェンスＡの側方の壁面における当該ラッチ５３を受け入れ得る位置に凹部６２を備えた盤状本体部６１を壁４６に木ねじ等で組み付けた構成としてあり、この図示例では、この盤状本体部６１にラッチ５３を受ける水平の、かつ、横長の凹部６２を備えるラッチ受け６０’として構成してある。
【００８３】
なお、この図示例に係る階段フェンスＡは、受け梁４５で受けられた根太４３に床板４１を張り込み、かつ、上框４１を備え付けて上階１０ｂ’の床４０を構成し、この階段１０の備え付けられる各壁４６部に側桁１３を備えて、この側桁１３に各段板１１を支持させてあり、この各段板１１間の空間を蹴込み板１２によって塞いだ構成としてあって、床下空間Ｃにある根太４３の面に沿って床下空間Ｃ内に延びるように、当該床下空間Ｃの根太４３上にほぼ水平をなすようにガイドレール３１を設けてあり、この対をなすガイドレール３１を互いのガイド溝３１ａを向き合わせるようにして当該ガイドレール３１における先端開口３１ｂの下部側にある当接板部３１ｃが前記段板１１の後部側端面に当接するように備え付けてある。
【００８４】
また、この図示例にあっては、階段１０における蹴込み面の意匠を整える意図からフェンスＡを構成する上枠材２２が、このフェンスＡの備えられる段板１１、１１間にある蹴込み板１２ａに構成されている開口１２ｂの開口幅内に都合良く納まる幅の板状材によって構成してあり、また、このフェンスＡを床下空間Ｃに押し入れた際に、当該フェンスＡが床下空間Ｃ内に納め入れ得るガイド手段３０を備えており、しかも、上枠材２２が前記開口１２ｂを都合良く塞ぐ位置に停止し得るように、この上枠材２２が前記ガイドレール３１の前端に当接し得る構成としてある。
【図面の簡単な説明】
【００８５】
【図１】典型的な階段フェンスの使用状態を示す斜視図
【図２】同正面図
【図３】同フェンスの格納状態を示す断面図
【図４】同フェンスの引き出し状態を示す断面図
【図５】同フェンスの起立状態を示し断面図
【図６】同要部部品の分離斜視図
【図７】同保持手段による保持状態を示す要部平面図
【図８】同断面図
【図９】他の階段フェンスの使用状態を示す正面図
【図１０】同フェンスを引き出し起立して用いている状態を示す断面図
【図１１】同一使用過程を示す要部斜視図
【図１２】同他の使用過程を示す要部斜視図
【図１３】同要部部品の分離斜視図
【図１４】同保持手段による保持状態を示す要部平面図
【図１５】同断面図
【符号の説明】
【００８６】
Ａ  フェンス
Ｂ  保持手段
Ｃ  階段下空間
Ｄ  床下空間
１０  階段
１０ｃ  通路
１１  段板
１２  蹴込み板
１２ｂ  開口
３０  ガイド手段
４０  床
【図１】
0004753768.tif 000002
【図２】
0004753768.tif 000003
【図３】
0004753768.tif 000004
【図４】
0004753768.tif 000005
【図５】
0004753768.tif 000006
【図６】
0004753768.tif 000007
【図７】
0004753768.tif 000008
【図８】
0004753768.tif 000009
【図９】
0004753768.tif 000010
【図１０】
0004753768.tif 000011
【図１１】
0004753768.tif 000012
【図１２】
0004753768.tif 000013
【図１３】
0004753768.tif 000014
【図１４】
0004753768.tif 000015
【図１５】
0004753768.tif 000016